(57)【要約】【課題】  着信音の変化により電池残量の低下を通知すると共に、その着信音を鳴動させる電力を低減し、着信鳴動に伴う電池の消耗を抑制する。【解決手段】    連続的な着信鳴動音を鳴動する電話装置１において、着信が到来した際に、電池残量測定部１０４が測定した電池残量値が所定値未満であったならば、鳴動制御部１０３は、電池残量値に対応する所定の断続パターンでスピーカ１０８を制御し、着信鳴動音を断続的に出力する。また、電池残量値が前記所定値以上であったならば、鳴動制御部１０３は、スピーカ１０８を断続制御せずに連続的な着信鳴動音を出力する。【選択図】    図１
2014110535.tif 000002
【特許請求の範囲】
【請求項１】
１以上の連続的な着信鳴動音を鳴動する電話装置において、
自電話装置の電池残量値を測定する電池残量測定手段と、前記連続的な着信鳴動音の出力を断続制御する着信音断続制御手段と、を有し、
着信が到来した際に、前記着信音出力制御手段は、前記電池残量測定手段が測定した電池残量値が所定値未満であったならば、当該電池残量値に対応して予め定められている断続比で前記連続的な着信鳴動音を断続的に出力し、前記電池残量値が前記所定値以上であったならば前記連続的な着信鳴動音を断続制御せずに出力することを特徴とする着信音断続制御機能を有する電話装置。
【発明の詳細な説明】
【技術分野】
【０００１】
本発明は、着信音を断続的に制御する機能を有する電話装置に関する。
【背景技術】
【０００２】
従来の電話機においては、電池残量がどれくらい残っているのかを確認したい場合に、ユーザーが電池残量表示などを目視しなければ把握することができなかった。また、電池残量が多い・少ないにかかわらず、どの電話機も予め設定した着信音で鳴動するため、電池残量の少ない電話機で受話を行ってしまうことがあった。そこで、特許文献１には、所定の電池残量に応じて鳴動パターンを変更することで、着信時の大まかな電池残量を通知する技術が開示されている。
【先行技術文献】
【特許文献】
【０００３】
【特許文献１】特開２００６−２３８４６０号公報
【発明の概要】
【発明が解決しようとする課題】
【０００４】
しかしながら、特許文献１に記載されている技術は、電池残量表示を確認しなくても着信音により電池残量を通知することを目的にしており、着信音を鳴動すること自体による電池消耗を考慮していない。
【０００５】
そこで、本発明の課題は、着信音の変化により電池残量の低下を通知すると共に、その着信音を鳴動させる電力を低減し、残量の少ない電池の消耗を抑制することにある。
【課題を解決するための手段】
【０００６】
本発明は、上記課題に鑑みなされたもので、１以上の連続的な着信鳴動音を鳴動する電話装置において、自電話装置の電池残量値を測定する電池残量測定手段と、前記連続的な着信鳴動音の出力を断続制御する着信音断続制御手段と、を有し、着信が到来した際に、前記着信音出力制御手段は、前記電池残量測定手段が測定した電池残量値が所定値未満であったならば、当該電池残量値に対応して予め定められている断続比で前記連続的な着信鳴動音を断続的に出力し、前記電池残量値が前記所定値以上であったならば前記連続的な着信鳴動音を断続制御せずに出力することを特徴とする。
【発明の効果】
【０００７】
本発明によれば、着信鳴動音の出力を断続制御することで、電池残量の低下を操作者に通知するので、着信鳴動音の鳴動を停止している期間の分、電池消費を抑えることが可能である。しかも、断続的に出力（例えば、０．５秒オン／１秒オフ）される着信鳴動音の鳴動期間における音量および着信鳴動音の種別（着信メロディ等）は不変であり、例えば、発信元の相手に応じて着信メロディを変えていた場合でも、当該着信を通常通りに認識することが容易である。
【図面の簡単な説明】
【０００８】
【図１】本発明における電話装置のブロック構成図
【図２】本発明における電話装置の断続制御された着信鳴動音の出力を示す図
【図３】本発明における電話装置の動作フローチャート図
【発明を実施するための形態】
【０００９】
以下、本発明について図面を用いて説明する。図１は本発明における電話装置のブロック構成図を示す。
【００１０】
本発明における電話装置１００は、送受信制御部１０１と、端末制御部１０２と、鳴動制御部１０３と、電池残量測定部１０４と、バッテリ１０５と、鳴動パターン判定部１０６と、鳴動パターン記憶部１０７と、スピーカ１０８によって構成されている。尚、本実施例においては電話装置１００を通常の無線電話端末として説明するが、内部にバッテリを有しバッテリ駆動を行う電話装置であれば何でもよく、これに限定されない。また、電話装置１００の各ブロックにおいては簡単化のため、本発明の特徴的な着信鳴動音の断続制御に係る部分のみを説明するものであることを予め付記する。
【００１１】
送受信制御部１０１は、電話装置１００の送受信に関わる制御を行い、着信が到来した場合には端末制御部１０２に着信の到来を通知し、また発信を行う場合に端末制御部１０２からの指示を受けて発信の処理を行う。
【００１２】
端末制御部１０２は、電話装置１００の端末に係る機能のすべてを制御する。送受信制御部１０１から着信の到来を受け付けると鳴動制御部１０３を起動させる。なお、前述の通り、端末制御部１０２は電話装置が通常有する機能（例えば入出力・音声・表示に係る制御およびハンドセット機能等）のすべてを集約している。電話装置が通常有する機能については公知の技術を用いたものであるため、詳細な説明については割愛する。
【００１３】
鳴動制御部１０３は、電話装置１００の着信鳴動に係る動作の制御を行う。端末制御部１０２からの指示により起動し、電池残量測定部１０４にバッテリ１０５の電池残量値の測定を指示し、次に鳴動パターン判定部１０６から所定の鳴動パターンを判定した結果を受け取り、スピーカ１０８の制御を行う。
【００１４】
ここで鳴動パターンとは、電池残量測定部１０４が測定したバッテリ１０５の電池残量値に対応して予め定められた断続比に応じて、鳴動制御部１０３がスピーカ１０８のＯＮ／ＯＦＦを切り替える制御を行うことにより、通常出力する連続的な着信鳴動音を断続的に出力することを示している。電池残量値に対応して断続比を変更することで、利用者は電池残量値の変動を知ることが可能である。また、スピーカ１０８の出力を制御するものであるため、利用者が普段から使用している着信鳴動音を変更することなく、電池残量を知ることができるという利点がある。
【００１５】
電池残量測定部１０４は、電話装置１００が有するバッテリ１０５の電池残量値を測定し、鳴動制御部１０３の指示に応じて測定した電池残量値のデータを鳴動パターン判定部１０６に渡す。
【００１６】
バッテリ１０５は、電池残量測定部１０４に接続され、電池残量値を測定される通常のバッテリであって、各部に給電を行う。
【００１７】
鳴動パターン判定部１０６は、電池残量測定部１０４から電池残量値のデータを受け取ると、鳴動パターン記憶部１０７を読み出し、渡された電池残量値のデータに対応する鳴動パターンを判定して鳴動制御部１０３に判定結果を返す。
【００１８】
鳴動パターン記憶部１０７は、電池残量値に応じた所定の鳴動パターンを記憶しており、鳴動パターン判定部１０６の指示により対応する鳴動パターンを渡す。鳴動パターンについては後述する図２に示す。
【００１９】
スピーカ１０８は、鳴動制御部１０３により出力の制御をされて、着信鳴動音を出力する。
【００２０】
図２は、本発明における電話装置１００の断続制御された着信鳴動音の出力を示す表であって、音源は電話装置１００が通常有する着信音や着信メロディ等であり、断続パターンは鳴動パターン記憶部１０６に記憶されている所定の断続パターンである。これらを組み合わせることで出力のように着信鳴動音が出力される。  また、図２（ｂ）には電池残量値が少ない場合（例えば３０％未満）における着信鳴動音の出力を示している。図２（ａ）とはｔ１の区間がより短くなり、ｔ２の区間がより長くなっており、断続パターンが変化し、同時にスピーカ１０８からの着信鳴動音の出力も変化していることを示す。また、図示していないが、電池残量値が一定値以上の場合であれば、断続することなく連続的に着信鳴動音が出力されるものである。
【００２１】
尚、本実施例においては、簡単化のために断続パターンも２パターンのみ記載しているが、この限りではない。設定によって、よりきめ細かい電池残量値に対応する断続パターンを指定することが可能である。
【００２２】
図３は、本発明における電話装置１００の動作フローチャート図である。本フローは電話装置１００に着信が到来した状態からスタートする。
【００２３】
電話装置１００に着信が到来したことを鳴動制御部１０３が通知されると、鳴動制御部１０３は電池残量測定部１０４に電池残量値の測定するよう指示を行い、電池残量測定部１０４はバッテリ１０５の電池残量値を測定して電池残量値に係るデータを鳴動パターン判定部１０６に渡す（Ｓ３００）。尚、電池残量値の測定に係るタイミングについては、鳴動制御部１０３から測定の指示が来た場合に任意に行ってもよいし、または定期的にバッテリ１０５の電池残量値を測定しておき、鳴動制御部１０３からの指示に応じて予め測定した電池残量値を渡すものでもよい。
【００２４】
次に電池残量値に係るデータを受け取った鳴動パターン判定部１０６は、電池残量値は所定値未満か否かを判定し（Ｓ３０１）、電池残量値が所定の残量以上であると判定された場合は（Ｓ３０１、ＮＯ）、その結果を鳴動制御部１０３に返し、鳴動制御部１０３はスピーカ１０８の出力に対する制御を行わずに、断続することなく連続的に着信鳴動音を送出し（Ｓ３０２）、Ｓ３０５に進む。
【００２５】
また、電池残量値が所定の残量未満であると判定された場合（Ｓ３０１、ＹＥＳ）、鳴動パターン判定部１０６は、鳴動パターン記憶部１０７を読み出し、電池残量値に対応した所定の断続パターンを判定し、判定した断続パターンを選択して鳴動制御部１０３に渡す（Ｓ３０３）。
【００２６】
次に、鳴動制御部１０３は、Ｓ３０３で選択された所定の断続パターンを用いてスピーカ１０８の出力を制御して、断続制御を行った着信鳴動音を送出する（Ｓ３０４）。
【００２７】
Ｓ３０２またはＳ３０４のいずれにおいても、着信鳴動音を送出した後に、利用者が着信に応答したか否かを確認する（Ｓ３０５）。利用者が着信に応答した場合は（Ｓ３０５、ＹＥＳ）、フローを終了する。また、利用者が着信に応答しなかった場合は（Ｓ３０５、ＮＯ）、Ｓ３００に戻り、電池残量の確認〜断続パターンの判定、送出を繰り返す。
【００２８】
ここで、本フローにおいてＳ３００に戻る理由は、着信鳴動音の送出によりスピーカ１０８を起動し続け、途中でバッテリ１０５の電池残量値が減ってしまった場合においても、すぐさま断続パターンの変更を行うことが可能であるためである。これにより、利用者は電池残量値が減ってしまった電話装置を避け、他の電話装置を利用することで、電池残量値を気にせず快適な通話を行うことができるものである。
【符号の説明】
【００２９】
１００・・・電話装置
１０１・・・送受信制御部
１０２・・・端末制御部
１０３・・・鳴動制御部
１０４・・・電池残量測定部
１０５・・・バッテリ
１０６・・・鳴動パターン判定部
１０７・・・鳴動パターン記憶部
１０８・・・スピーカ
【図１】
2014110535.tif 000003
【図２】
2014110535.tif 000004
【図３】
2014110535.tif 000005